(57)【特許請求の範囲】
【請求項１】
入力された制御電圧に応じて電圧制御可変リアクタンス素子のリアクタンスを可変して、発振回路の発振周波数を制御する電圧制御型発振回路部と、該電圧制御型発振回路の制御電圧−発振周波数特性に於ける非直線特性と逆の非直線特性を有する電圧−周波数変換特性線形補償回路と、を備え、
前記電圧−周波数変換特性線形補償回路は、制御電圧を第１制御電流に変換する第１電圧制御電流源回路と、該第１電圧制御電流源回路から出力される第１制御電流を対数関数的に第１制御電圧に変換する第１電流制御非線形素子と、前記制御電圧を入力電圧とし、該入力電圧の傾きの極性を逆にした係数を有する電圧を出力する電圧反転回路と、該電圧反転回路から出力される反転制御電圧を第２制御電流に変換する第２電圧制御電流源回路と、該第２電圧制御電流源回路から出力される第２制御電流を対数関数的に第２制御電圧に変換する第２電流制御非線形素子と、該第２電流制御非線形素子から出力される第２制御電圧と前記第１電流制御非線形素子から出力される第１制御電圧との差の電圧を生成する引き算回路と、を備えていることを特徴とする電圧制御型発振回路。
【請求項２】
請求項１に記載の電圧制御型発振回路において、前記電圧制御型発振回路部を構成する発振素子として、水晶振動子、圧電振動子、ＬＣ発振回路のいずれかを使用することを特徴とする電圧制御型発振回路。
【発明の詳細な説明】
【０００１】
【発明の属する技術分野】
本発明は、ＦＭ変調回路、位相変調回路、シンセサイザ装置の周波数切替回路などで使用される電圧制御型発振回路に関し、特に制御電圧と発振周波数との関係におけるリニア特性を向上した電圧制御型発振回路に関する。
【０００２】
【従来の技術】
ＦＭ変調回路、位相変調回路、シンセサイザ装置の周波数切替回路などで使用される電圧制御型発振回路の１つとして従来から図８に示す回路が知られている。
この図に示す電圧制御型発振回路１０１は、発振周波数の制御を行なう水晶振動子１０２と、一端が水晶振動子１０２の一端に接続され他端子が接地点に接続される抵抗１０３と、アノードが水晶振動子１０２の一端に接続されるバイアブルキャパシター（バラクタ・ダイオード）１０４と、一端が前記バイアブルキャパシター１０４のカソードに接続され他端が制御電圧入力端子１０５に接続される抵抗１０６と、カソードが抵抗１０６とバイアブルキャパシター１０４との接続点に接続され、アノードが共通入力端子１０７に接続されるバイアブルキャパシター１０８と、入力端子が水晶振動子１０２の他端に接続され出力端子が信号出力端子１０９に接続される増幅器１１０と、一端が水晶振動子１０２の前記他端に接続されるコンデンサ１１１と、一端が前記コンデンサ１１１の他端に接続され他端がバイアブルキャパシター１０８のアノードに接続されるコンデンサ１１２と、一端が各コンデンサ１１１、１１２の接続点と増幅器１１０の一端に接続され他端がバイアブルキャパシター１０８のアノードに接続される抵抗１１３とを備えている。このように構成された電圧制御発振回路は制御電圧入力端子１０５と、共通入力端子１０７との間に印加される制御電圧の値に応じて各バイアブルキャパシター１０４、１０８の容量を変化させて発振周波数を制御し、これによって得られた発振信号を信号出力端子１０９から出力する。
可変容量素子としては、一般的に傾斜接合型バイアブルキャパシターや階段接合型バイアブルキャパシターが使用されるが、これらは両端の印加電圧に反比例して容量値が変化し、上記回路においては図９に示す如く制御電圧入力端子１０５と、共通入力端子１０７との間に印加される制御電圧が高くなるほど、信号出力端子１０９から出力される発振周波数が上昇し、逆に制御電圧が低くなるほど発振周波数が低下する。
【０００３】
【発明が解決しようとする課題】
しかしながらこの時、特性曲線１１４の両端すなわち制御電圧の値が高い部分、制御電圧の値が低い部分では、変化が飽和し非直線となり、制御電圧を変化しても発振周波数がほとんど変化しない。従って電圧制御型発振回路１０１を例えばＡＦＣ回路（Automatic Frequency Control Circuit ）として機能させた場合や、制御電圧が低い部分や高い部分で発振周波数の制御が不能となる。また前記電圧制御型発振回路１０１をＦＭ変調回路として機能させた場合は変調信号振幅が小さい部分と大きい部分の被変調出力波形が歪むという問題があった。
このようなところから、このような電圧制御型発振回路１０１をＡＦＣ回路やＦＭ変調回路などに組み込んで使用する場合、従来、図９に示す特性曲線１１４の直線と見なせる部分のみを利用するようにしてこのような不都合が発生しないようにしている。
しかしながら、このような方法では図９に示す如く特性曲線１１４の直線と見なせる部分が僅かしかないことから、発振周波数の可変範囲が狭くなるという問題があった。
そこで、このような問題を解決する方法として、従来図１０に示す如く低感度のバイアブルキャパシターの特性曲線１１６に比べて、傾きの大きな高感度特性曲線１１５をもつバイアブルキャパシターを使用して制御感度を高くし、これによって印加電圧の変化に対する発振周波数の変化量を大きくすることも考えられているが、このようにすると、雑音を拾い易くなってＳ／Ｎが劣化し、外乱に対して弱くなるという問題がある。また更には、直線部分であっても詳細に見れば、非直線性を含んでおり、同様に歪みを発生していた。
本発明は上記の事情に鑑みてなされたものであり、耐雑音性を保ちつつ、しかも広い範囲にわたって、制御電圧−発振周波数特性をリニアにすることができる電圧制御型発振回路を提供することを目的としている。
【０００４】
【課題を解決するための手段】
上記の目的を達成するために本発明の電圧制御型発振回路は、入力された制御電圧に応じて電圧制御可変リアクタンス素子のリアクタンスを可変して、発振回路の発振周波数を制御する電圧制御型発振回路部と、該電圧制御型発振回路の制御電圧−発振周波数特性に於ける非直線特性と逆の非直線特性を有する電圧−周波数変換特性線形補償回路と、を備え、前記電圧−周波数変換特性線形補償回路は、制御電圧を第１制御電流に変換する第１電圧制御電流源回路と、該第１電圧制御電流源回路から出力される第１制御電流を対数関数的に第１制御電圧に変換する第１電流制御非線形素子と、前記制御電圧を入力電圧とし、該入力電圧の傾きの極性を逆にした係数を有する電圧を出力する電圧反転回路と、該電圧反転回路から出力される反転制御電圧を第２制御電流に変換する第２電圧制御電流源回路と、該第２電圧制御電流源回路から出力される第２制御電流を対数関数的に第２制御電圧に変換する第２電流制御非線形素子と、該第２電流制御非線形素子から出力される第２制御電圧と前記第１電流制御非線形素子から出力される第１制御電圧との差の電圧を生成する引き算回路と、を備えていることを特徴とする。
また本発明の電圧制御型発振回路は、前記電圧制御型発振回路部を構成する発振素子として、水晶振動子、圧電振動子、ＬＣ発振回路のいずれかを使用することを特徴とする。
【０００５】
【発明の実施の形態】
以下、本発明を図面に示した形態例に基づいて詳細に説明する。
図１は本発明による電圧制御型発振回路の一形態例を示すブロック図である。この図に示す電圧制御型発振回路１は、従来から用いられている電圧制御型発振回路部３とこれに供給する周波数制御電圧信号値に所要の修正を施すための線型補償回路２から成り、前記電圧制御型発振回路部３は上述したように制御電圧−発振周波数特性が例えば図２（ｂ）の特性曲線５で示す如く制御電圧が低い領域および高い領域で入力電圧（制御電圧Ｖ C）の変化率に対する周波数の変化率が小さくなる。また、前記線型補償回路２は前記電圧制御型発振回路本体３の制御電圧−発振周波数特性の被線型部分を補償する電圧変換特性、例えば図２（ａ）の特性曲線４に示す如く入力電圧が低い領域および高い領域において入力電圧の変化率に対する出力電圧の変化率が高くなる電圧変換特性を持っている。入力される制御電圧ＶC は図２（ａ）の破線にて示すもので、これを電圧変換して同図（ａ）実線の特性とし前記電圧制御型発振回路部３に供給する。
【０００６】
このように、この形態例では、線形補償回路２によって、図２（ａ）実線に示す電圧変換特性の制御電圧Ｖ′C を生成し、これを図２（ｂ）に示す制御電圧−発振周波数特性を持つ電圧制御型発振回路部３に入力すれば、夫々の非直線性回路全体の制御電圧−発振周波数特性を、図２（Ｃ）の特性曲線６に示す如く制御電圧の小さい値から大きな値の広範囲にわたってリニアな制御電圧−発振周波数特性を実現することができる。この結果、制御電圧Ｖ Cが低領域及び高領域を含み、制御電圧Ｖ Cの変化に対する発振周波数の変化率を一定にして、リニアリティに優れたダイナミックレンジを拡大することができる。
【０００７】
図３は上述した電圧制御型発振回路１で使用される線形補償回路２の詳細な構成例を示すブロック図である。
この図に示す線形補償回路２は、入力された制御電圧ＶCに比例した第１制御電流Ｉ1を生成する第１電圧制御電流源回路７と、前記第１電圧制御電流源回路７の出力電流Ｉ1に基づいて非線形電圧を発生する第１電流制御非線形素子９と、前記制御電圧ＶCを入力電圧とし、該入力電圧の傾きの極性を逆にした係数を有する電圧を出力する電圧反転回路１０と、この電圧反転回路１０の出力電圧（ＶK−ＶC）に比例した第２の制御電流Ｉ2を生成する第２電圧制御電流源回路１１と、該回路の出力電流Ｉ2に基づいて非線形電圧を発生する第２電流制御非線形素子１２と、前記第１及び第２電流制御非線形素子９、１２の出力電圧の差を出力する引き算回路１３とを含んで構成したものである。
上記構成において最も特徴的な部分は、第１及び第２電流制御非直線素子９及び１２に直線性を有する電流値を供給すると、その入力端子電圧が所望の非直線特性を有するように機能することである。この非直線特性は後述するが、後段の電圧制御型発振部３の非直線特性と対応するもので、結果的に該電圧制御型発振部の非直線歪を補償し、総合的に直線特性を改善するように機能するものである。
前記第１及び第２電流制御非線形素子９と１２は、例えば夫々図４に示すように第１及び第２制御電流Ｉ、Ｉ2の値が小さい領域においては出力電圧ＶCの変化が急峻であるが、電流値が大きくなるにつれて出力電圧ＶCの変化が小さくなるような対数関数的電流／電圧特性を有している。このような関係を得る一つの手段としては、例えばダイオ−ドやトランジスタのべ−ス・エミッタ特性等が利用可能である。
【０００８】
上記のように構成された線形補償回路２では、第１電圧制御電流源回路７において入力された制御電圧Ｖ Cに比例した電流値の第１制御電流Ｉ1 を生成し、第１電流制御非線形素子９に供給する。この非線形素子９は図４に示す如く第１制御電流Ｉ1 を対数関数特性で第１制御電圧ＶC1に変換する。一方、電圧反転回路１０に供給された前記制御電圧Ｖ Cは、その大小関係を反転され、（ＶK −Ｖ C）なる電圧値となり、第２電圧制御電流源回路１１によって比例した第２制御電流Ｉ2 を生成する。この電流Ｉ2 は第２電流制御非線形素子１２によって図４に示すように対数関数特性的に第２制御電圧ＶC2に変換される。前記２つの非線形素子９、１２の出力、即ち第１制御電圧ＶC1と第２制御電圧ＶC2は引き算回路１３によって減算され、この差電圧を制御電圧Ｖ’C として出力する。
【０００９】
これにより、入力制御電圧Ｖ Cの電圧値が小さい領域では、第１電圧制御電流源回路７、第１電流制御非線形素子９によって作出される制御電圧ＶC1を非線形とし、また前記制御電圧Ｖ Cの電圧値が高い領域では、電圧反転回路１０、第２電圧制御電流源回路１１、第２電流制御非線形素子１２によって作出される制御電圧ＶC2を非線形とする。故にこれらを合成したＶ’C は図２（ａ）に示すような電圧変換特性を持ったものとなり、この制御電圧Ｖ’C が前記電圧制御型発振回路本体３に入力される。その結果、図２（ｂ）の特性をもつ電圧制御型発振回路の非直線歪が、それを互いに逆の非直線性となる図２（ａ）の特性に相殺されて同図（ｃ）の如く非直線性が補償されて上記線形補償回路２を構成する第１電圧制御電流源回路７、第１電流制御非線形素子９、第２電圧制御電流源回路１１、第２電流制御非線形素子１２、引き算回路１３としては、例えば図５に示す回路などが使用される。
【００１０】
この図に示す第１電圧制御電流源回路７は、増幅動作を行ない、電流発生素子として機能する第１演算増幅器１５と、一端が第１演算増幅器１５の反転入力端子に接続され他端が接地点に接続され増幅率決定用素子として機能する抵抗１６と、一端が第１演算増幅器１５の反転入力端子に接続され他端が第１演算増幅器１５の出力端子に接続され増幅率決定素子として機能する抵抗１７と、一端が制御電圧決定用の可変抵抗１８に接続され他端が第１演算増幅器１５の非反転入力端子に接続され接地電圧入力用素子として機能する抵抗１９と、一端が第１演算増幅器１５の出力端子に接続され電流値検出素子として機能する抵抗２０と、反転入力端子と出力端子とが接続され非反転入力端子が抵抗２０の他端に接続され電圧バッファとして機能する第２演算増幅器２１と、一端が第２演算増幅器２１の出力端子に接続され他端が第１演算増幅器１５の非反転入力端子に接続され検出電圧入力用素子として機能する抵抗２２とを備えている。
【００１１】
この第１電圧制御電流原回路７は抵抗１９を介して供給される制御電圧ＶC に基づき、制御電圧決定用の可変抵抗１８の抵抗値に応じて電流値の第１制御電流Ｉ1 を生成し、これを第１電流制御非線形素子９に供給する。
第１電流制御非線形素子９は、コレクタが抵抗２３を介して電源２４の正電極に接続されエミッタが接地点に接続されベースが抵抗２０の他端に接続されるトランジスタ２５によって構成されており、第１電圧制御電流源回路７から出力される第１制御電流Ｉ1 に応じてベース・エミッタ間電圧（ＶBE）が変化し、このベース・エミッタ間電圧を第１制御電圧ＶC1として引き算回路１３に供給する。この場合、トランジスタ２５のベースに入力されるベース電流の値を横軸にとり、トランジスタ２５のベース・エミッタ間電圧を縦軸にとって両者の関係を図示すると、ベース電流に対して図６の特性曲線２６に示す如くなる。即ち、ベース・エミッタ間電圧が対数関数（Ｌｏｇ関数）特性となることから、第１制御電流Ｉ1 の電流値が“Ｘ”であるとき、ベ−ス電圧はＬｏｇ（Ｘ）の値の第１制御電圧ＶC1となり、これが引き算回路１３に供給される。
【００１２】
また、第２電圧制御電流源回路１１は増幅動作を行ない電流発生素子として機能する第１演算増幅器２８と、一端が第１演算増幅器２８の反転入力端子に接続され他端が接地点に接続され増幅率決定素子として機能する抵抗２９と、一端が第１演算増幅器２８の反転入力端子に接続され他端が第１演算増幅器２８の出力端子に接続され増幅率決定素子として機能する抵抗３０と、一端が制御電圧決定用の可変抵抗１８と連動して可変される反転制御電圧決定用の可変抵抗３１に接続され他端が第１演算増幅器２８の非反転入力端子に接続され接地電圧入力用素子として機能する抵抗３２と、一端が第１演算増幅器２８の出力端子に接続され電流値検出素子として機能する抵抗３３と、反転入力端子と出力端子とが接続され非反転入力端子が抵抗３３の他端に接続され電圧バッファとして機能する第２演算増幅器３４と、一端が第２演算増幅器３４の出力端子に接続され他端が第１演算増幅器２８の非反転入力端子に接続され検出電圧入力用素子として機能する抵抗３５とを備えている。この第２電圧制御電流源回路１１は抵抗３２を介して供給される反転された制御電圧に基づいて制御電圧決定用の前記可変抵抗１８と連動して調整される可変抵抗３１の抵抗値に応じて電流値の第２制御電流Ｉ2 を生成し、これを第２電流制御非線形素子１２に供給する。
【００１３】
第２電流制御非線形素子１２は、コレクタが抵抗２３を介して前記電源２４の正電極に接続されエミッタが接地点に接続されベースが抵抗３３の他端に接続されるトランジスタ３６によって構成されており、第２電圧制御電流源回路１１から出力される第２制御電流Ｉ2 に応じてベース・エミッタ間電圧（Ｖ BE ）が変化し、このベース・エミッタ間電圧を第２制御電圧ＶC2として、引き算回路１３に供給する。
【００１４】
この場合、第１電流制御非線形素子９と同様に、トランジスタ３６のベースに入力されるベース電流の値を横軸にとり、トランジスタ３６のベース・エミッタ間電圧を縦軸にとって図示すると、図６の特性曲線２６に示す如く、ベース電流に対して、ベース・エミッタ間電圧が対数関数（Ｌｏｇ関数）特性になる。そして、第１制御電流Ｉ1 に対して、第２制御電流Ｉ2 の電流値が“Ｋ−Ｘ”となっていることから、定数Ｋが“１”であると仮定すると、第２制御電流Ｉ2 が特性曲線２７に示す如く第２制御電流Ｉ2 がＬｏｇ（１−Ｘ）の値を持つ第２制御電圧ＶC2に変換されて、引き算回路１３に供給される。なお、定数Ｋの値を“１”以外の値にしても、特性曲線２７の傾向が同じになることは云うまでもない。
【００１５】
引き算回路１３は、電圧バッファ回路３９と、反転増幅回路４３と、加算回路４９とから構成される。更に、電圧バッファ回路３９は反転入力端子と出力端子とが接続された２つの演算増幅器３７、３８によって構成され、第１、第２電流制御非線形素子９、１２から出力される第１、第２制御電圧ＶC1、ＶC2を各々、バッファリングする。反転増幅回路４３は、非反転入力端子が接地点に接続される１つの演算増幅器４０と、一端が前記演算増幅器４０の反転入力端子に接続され他端が演算増幅器４０の出力端子に接続される帰還用の抵抗４１と、一端が演算増幅器４０の反転入力端子に接続され他端が前記電圧バッファ回路３９を構成する演算増幅器３８の出力端子に接続される入力用の抵抗４２とによって構成され、電圧バッファ回路３９から出力される第２制御電圧ＶC2を反転させる。又、加算回路４９は、増幅動作を行なう演算増幅器４４と、一端が演算増幅器４４の反転入力端子に接続され他端が接地点に接続される増幅率決定用の抵抗４５と、一端が演算増幅器４４の出力端子に接続され他端が演算増幅器４４の反転入力端子に接続される増幅率決定用の抵抗４６と、一端が演算増幅器３７の出力端子に接続され他端が演算増幅器４４の非反転入力端子に接続される入力用の抵抗４７と、一端が演算増幅器４０の出力端子に接続され他端が演算増幅器４４の非反転入力端子に接続される入力用の抵抗４８によって構成され、電圧バッファ回路３９から出力される第１制御電圧ＶC1と前記反転増幅回路４３から出力される反転された第２制御電圧ＶC2とを加算して制御電圧Ｖ’C を生成する。
【００１６】
この図５に示す回路は電圧バッファ回路３９によって第１、第２電流制御非線形素子９、１２から出力される第１、第２制御電圧ＶC1、ＶC2を電圧バッファリングするとともに、反転増幅回路４３によって第２制御電圧ＶC2を反転した後、加算回路４９によって第１制御電圧ＶC1と、反転済みの第２制御電圧ＶC2とを加算して制御電圧Ｖ’C を生成し、これを電圧制御型発振回路部３に供給する。
この場合、反転増幅回路４３によって第２制御電圧ＶC2が反転されて図７の特性曲線５０で示す特性にされ、加算回路４９によって図７の特性曲線５１で示される第１制御電圧ＶC1と、前記特性曲線５０で示される第２制御電圧ＶC2とが加算されて図７の特性曲線５２で示される特性、すなわち電圧制御型発振回路部３が有する制御電圧−発振周波数特性の非線形特性を補償して、これをリニアにする特性の制御電圧Ｖ’C にされ、これが電圧制御型発振回路部３に供給される。
【００１７】
このように、この形態例では、電圧制御型発振回路本体３の制御電圧−発振周波数特性と逆特性となる電圧変換特性を持つ線形補償回路２によって、入力制御電圧Ｖ Cを電圧変換し、補償した制御電圧Ｖ’C で電圧制御型発振回路部３の発振周波数を制御するようにしたので、従来非直線のために利用不可能であった制御電圧が小さい領域と大きい領域を含む広い範囲にわたって、制御電圧−発振周波数特性をリニアにすることができる。従って従来の如く制御感度を大きくすることによって生ずる雑音の増加がない。
この際、電圧制御型発振回路部３の各バイアブルキャパシター（バラクタ・ダイオード）の印加電圧−容量特性の非直線を補償するためにトランジスタ２５、３６のベース電流−ベース・エミッタ間電圧の非直線性を利用したが、トランジスタ２５、３６以外の電流制御素子、例えば電流と電圧との関係が対数特性となるダイオードなどを使用して、第１、第２電流制御非線形素子９、１２を構成するようにしても良い。
【００１８】
また、上述した形態例においては、水晶振動子を用いた電圧制御型発振回路部３を例にして本発明による電圧制御型発振回路１を説明したが、水晶振動子以外の周波数制御素子（発振素子）、例えば他の圧電振動子やＬＣ発振回路などを用いた電圧制御型発振回路においても本発明を適用可能である。
また、上述した形態例においては、トランジスタ２５、３６などの電流制御素子が持つ対数特性を利用して、電圧制御型発振回路本体３の制御電圧−発振周波数特性曲線と、逆特性となる電圧変換特性曲線を近似するようにしているが、他の近似方法、例えば理想ダイオード回路を使用した折れ線近似で理想的な電圧変換特性曲線を近似する方法、理想的な電圧変換特性曲線のデータをＲＯＭ回路に記憶させ、制御電圧入力端子に入力された制御電圧Ｖ CをＡ／Ｄ変換して得られたデータをアドレスデータとして、前記ＲＯＭ回路に記憶させているデータを読み出し、これをＤ／Ａ変換して、制御電圧Ｖ’C を得る方法などを使用するようにしても良い。
このようにしても、上述した形態例と同様に、広い範囲にわたって、制御電圧−発振周波数特性をリニアにすることができる。
【００１９】
【発明の効果】
以上説明したように本発明によれば、耐雑音を保ちつつ、広い範囲にわたって、制御電圧−発振周波数特性をリニアにすることができる。
【図面の簡単な説明】
【図１】本発明による電圧制御型発振回路の一形態例を示すブロック図である。
【図２】（ａ）（ｂ）及び（ｃ）は図１に示す線形補償回路の電圧変換特性、電圧制御型発振回路本体の制御電圧−発振周波数特性、電圧制御型発振回路の制御電圧−発振周波数特性の一例を示すグラフである。
【図３】図１に示す線形補償回路の詳細な回路構成例を示すブロック図である。
【図４】図３に示す第１、第２電流制御非線形素子の電流−電圧特性例を示すグラフである。
【図５】図３に示す第１電圧制御電流源回路、第１電流制御非線形素子、第２電圧制御電流源回路、第２電流制御非線形素子、引き算回路の詳細な構成例を示す回路図である。
【図６】図５に示す各トランジスタのベース電流と、ベース・エミッタ間電圧との関係例を示すグラフである。
【図７】図５に示す各トランジスタのベース電流と、制御電圧Ｖ’C との関係例を示すグラフである。
【図８】従来から知られている電圧制御型発振回路の一例を示す回路図である。
【図９】図８に示す電圧制御型発振回路の制御電圧−発振周波数特性例を示すグラフである。
【図１０】図８に示す電圧制御型発振回路の問題点を解決する際に使用される制御電圧−発振周波数特性例を示すグラフである。
【符号の説明】
１…電圧制御型発振回路、３…電圧制御型発振回路本体、４…特性曲線、５…特性曲線、７…第１電圧制御電流源回路、８…電源ライン、９…第１電流制御非線形素子（電流制御素子）、１０…電圧反転回路、１１…第２電圧制御電流源回路、１２…第２電流制御非線形素子（電流制御素子）、１３…引き算回路、１４…特性曲線、１５…第１演算増幅器、１６…抵抗、１７…抵抗、１８…可変抵抗、１９…抵抗、２０…抵抗、２１…第２演算増幅器、２２…抵抗、２３…抵抗、２４…電源、２５…トランジスタ、２６…特性曲線、２７…特性曲線、２８…第１演算増幅器、２９…抵抗、３０…抵抗、３１…可変抵抗、３２…抵抗、３３…抵抗、３４…第２演算増幅器、３５…抵抗、３６…トランジスタ、３７、３８…演算増幅器、３９…電圧バッファ回路、４０…演算増幅器、４１…抵抗、４２…抵抗、４３…反転増幅回路、４４…演算増幅器、４５…抵抗、４６…抵抗、４７…抵抗、４８…抵抗、４９…加算回路、５０…特性曲線、５１…特性曲線、５２…特性曲線
【図１】
0003915137.tif 000002
【図２】
0003915137.tif 000003
【図３】
0003915137.tif 000004
【図４】
0003915137.tif 000005
【図５】
0003915137.tif 000006
【図６】
0003915137.tif 000007
【図７】
0003915137.tif 000008
【図８】
0003915137.tif 000009
【図９】
0003915137.tif 000010
【図１０】
0003915137.tif 000011